(57)【要約】【課題】  折り畳まれた車椅子を収容する場合には両手を使用してそのまま持ち上げる必要があり大きな力を必要とした。【解決手段】  本発明の折り畳み式車椅子の収納補助装置は、台板と、折り畳まれた車椅子を載置すべき床上にこの台板を固定する固定手段と、折り畳まれた車椅子の前方下部に位置する被載置部を載置するよう上記台板上にスライド自在に設けた載置台とより成る。【選択図】  図１
2007083804.tif 000002
【特許請求の範囲】
【請求項１】
台板と、この台板を折り畳まれた車椅子を載置すべき床上に固定する固定手段と、折り畳まれた車椅子の前方下部に位置する被載置部を載置するよう上記台板上にスライド自在に設けた載置台とより成ることを特徴とする折り畳み式車椅子の収納補助装置。
【請求項２】
上記載置台が折り畳まれた車椅子のステップを載置することを特徴とする折り畳み式車椅子の収納補助装置。
【請求項３】
上記載置台が、その周囲に突設した縁を有することを特徴とする請求項１または２記載の折り畳み式車椅子の収納補助装置。
【発明の詳細な説明】
【技術分野】
【０００１】
本発明は折り畳み式車椅子の収納補助装置、特に、折り畳まれた車椅子を車輌内に収納する際に用いる収納補助装置に関するものである。
【背景技術】
【０００２】
従来、折り畳まれていない車椅子を車輌の後部から車輌内に収納する場合の補助装置としては例えば特許文献１に示されたものがある。
【０００３】
【特許文献１】登録実用新案第３０３２２９４号公報
【発明の開示】
【発明が解決しようとする課題】
【０００４】
このような従来公知のものは傾斜ガイドフレームを利用して車椅子を索引ロープで車輌内に引き込むものであり、装置が複雑で高価であり、また折り畳まれた車椅子の収納には適していない。
【０００５】
即ち、通常は折り畳まれた車椅子は両手を使用しそのまま持ち上げて車輌内に収納している。
【０００６】
然しながらこの収納には大きな力を必要とし、力の弱い人では処理できなかった。
【０００７】
本発明の目的は折り畳まれた車椅子を簡単容易に車輌内に収納できるようにするための補助装置を得るにある。
【課題を解決するための手段】
【０００８】
本発明の折り畳み式車椅子の収納補助装置は、台板と、この台板を折り畳まれた車椅子を載置すべき床上に固定する固定手段と、折り畳まれた車椅子の前方下部に位置する被載置部を載置するよう上記台板上にスライド自在に設けた載置台とより成ることを特徴とする。
【０００９】
また、本発明の折り畳み式車椅子の収納補助装置においては、上記載置台が折り畳まれた車椅子のステップを載置することを特徴とする。
【００１０】
上記載置台は、その周囲に突設した縁を有することを特徴とする。
【発明の効果】
【００１１】
本発明の折り畳み式車椅子の収納補助装置によれば、折り畳まれた車椅子を簡単容易に車輌内に収納できるようになる。
【発明を実施するための最良の形態】
【００１２】
以下図面によって本発明の実施例を説明する。
【実施例１】
【００１３】
図１０は折り畳まれた状態の車椅子１の斜視図を示し、２はその後輪、３は前輪、４は足を乗せるためのステップである。
【００１４】
図１〜図５は本発明の折り畳み式車椅子の収納補助装置を示し、図において５は本発明の補助装置を載置、固定せしめる車輌の床、６は車輌の床５上に載置、固定される台板、７はこの台板６の後端部上面に垂設した高さ調節自在の固定具であって、この固定具７は上記台板６上に固定した支柱受け８と、この支柱受け８に螺合した垂直ネジ杆９と、この垂直ネジ杆９の上端に固定した受板１０とにより構成し、上記受板１０を車輌の後部シートの下面（図示せず）に当てた状態で上記受板１０を回動し、台板６からの高さを高くして上記台板６が車輌の床５上に固定されるようにする。なお、台板６はボルト等で直接車輌に固定しても良い。
【００１５】
１１は上記台板６上面の両側に固定したガイドレール、１２はこのガイドレール１１に沿って上記台板６上を上記後端部から先端部に向ってスライド自在ならしめたスライド板、１３はこのスライド板１２の先端部上面に設けたステップ載置台、１４はこのステップ載置台１３の周囲に突出形成した縁部である。
【００１６】
本発明の折り畳み式車椅子の収納補助装置の使用に際しては上記台板６を固定具７によって車輌の床５上に固定した後ガイドレール１１に沿って台板６と相対的にスライド板１２を前方に引き出し、固定手段（図示せず）によって台板６に対するスライド板１２の移動を防止した後、図６に示すように車輌外に位置せしめた折り畳まれた車椅子１のステップ４の下端のみをステップ載置台１３上に載置せしめる。
【００１７】
次に図７に示すように折り畳まれた車椅子１のステップ４以外の部分を上記ステップ４を支点として持ち上げ、後輪２を床５上に押し込み、次いで固定手段による固定を解除し上記スライド板１２を後方に押し込む事により折り畳まれた車椅子本体１を図８に示すように完全に車輌の床５上に位置せしめる。
【００１８】
この状態で必要に応じて上記スライド板１２を上記台板６に対して従来既知の手段で固定し、また、折りたたまれた車椅子１を車輌内に固定せしめる。
【００１９】
なお、車椅子の前輪３の下面と車輌の床５の接触により、上記スライド板１２を後方に押し込む作業が妨げられないために、上記床５からの上記ステップ載置台１３の高さは、このステップ載置台１３上に上記ステップ４を載置し、後輪２を床５上に載置したとき、図９に示すように上記前輪３の下面が床５の面に一致するかそれより高い位置となるように定めるのが好ましい。
【００２０】
また、上記ガイドレール１１の内側面にチャンネル状の溝（図示せず）を設け、上記スライド板１２の外側面には上記溝に係合する大きさのガイドローラ（図示せず）を設ける。なお、上記溝とガイドローラを逆に上記スライド板１２とガイドレール１１に夫々設けるようにしても良い。
【００２１】
また、上記ステップ載置台１３の周囲には縁部１４を突出形成したのでステップ載置台１３上に載置した折り畳まれた車椅子１のステップ４がこれからみだりに外れることはないが、場合によっては上記縁を省略しても良い。
【００２２】
なお、上記実施例においては上記ステップ載置台１３上に、折り畳まれた車椅子１のステップ４を載置するようにしたが、ステップ載置台の代りに前輪載置台を設け、これに前輪３を載置せしめるようにしても良い。
【図面の簡単な説明】
【００２３】
【図１】本発明の収納補助装置の平面図である。
【図２】図１に示す収納補助装置の側面図である。
【図３】図１に示す収納補助装置の背面図である。
【図４】図１に示す収納補助装置の使用時の平面図である。
【図５】図１に示す収納補助装置の使用時の側面図である。
【図６】本発明の収納補助装置の使用状態を示す斜視図である。
【図７】本発明の収納補助装置の使用状態を示す斜視図である。
【図８】本発明の収納補助装置の使用状態を示す斜視図である。
【図９】本発明の収納補助装置の使用時の説明図である。
【図１０】折り畳まれた車椅子の斜視図である。
【符号の説明】
【００２４】
１  車椅子
２  後輪
３  前輪
４  ステップ
５  車輌の床
６  台板
７  固定具
８  支柱受け
９  垂直ネジ杆
１０  受板
１１  ガイドレール
１２  スライド板
１３  ステップ載置台
１４  縁部
【図１】
2007083804.tif 000003
【図２】
2007083804.tif 000004
【図３】
2007083804.tif 000005
【図４】
2007083804.tif 000006
【図５】
2007083804.tif 000007
【図６】
2007083804.tif 000008
【図７】
2007083804.tif 000009
【図８】
2007083804.tif 000010
【図９】
2007083804.tif 000011
【図１０】
2007083804.tif 000012